(57)【要約】      （修正有）【課題】電子機器等の負荷用のプラグ差込口が複数、設けられると共に、プラグ差込口から離間した場所で、通電状態を個別に切替可能とした電源タップを提供する。【解決手段】コンセントから供給される電力を負荷に供給する電源タップ１は、コンセントに差し込まれ、コンセントから電力の供給を受ける電源プラグ３０と、電源プラグを介して電力の供給を受けると共に、プラグ差込口１１ａ〜１５ａに接続された負荷のプラグを介して負荷に電力を供給する複数のプラグソケットＰＳ１１〜ＰＳ１５を備えたソケット本体１０と、複数のプラグソケットに応じて、電源プラグからプラグソケットへの電力供給の有無を切り替える複数のソケットスイッチ、を備えたスイッチ本体２０と、所定の長さを有すると共に、ソケット本体とスイッチ本体とを電気的に接続する接続ケーブル４０とを有する。【選択図】図１
0003193524.tif 000002
【実用新案登録請求の範囲】
【請求項１】
コンセントから供給される電力を負荷に供給する電源タップであって、
上記コンセントに差し込まれ、上記コンセントから電力の供給を受ける電源プラグと、
上記電源プラグを介して電力の供給を受けると共に、プラグ差込口に接続された上記負荷のプラグを介して上記負荷に電力を供給する複数のプラグソケット、を備えたソケット本体と、
上記複数のプラグソケットに応じて、上記電源プラグから上記プラグソケットへの電力供給の有無を切り替える複数のソケットスイッチ、を備えたスイッチ本体と、
所定の長さを有すると共に、上記ソケット本体と上記スイッチ本体とを電気的に接続する接続ケーブルと、を有する、
ことを特徴とする電源タップ。
【請求項２】
上記スイッチ本体がさらに、
上記ソケットスイッチの切り替えに応じて、上記複数のプラグソケットの通電状態を個別に表示する第一のパイロットランプ、を備える、
請求項１記載の電源タップ。
【請求項３】
上記第一のパイロットランプの発光色が、対応する上記プラグソケットごとに異なる、
請求項２記載の電源タップ。
【請求項４】
上記スイッチ本体がさらに、
上記第一のパイロットランプの動作のオン／オフを切り替える第一のランプスイッチ、を備える、
請求項２又は３記載の電源タップ。
【請求項５】
上記ソケット本体がさらに、
上記ソケットスイッチの切り替えに応じて、上記複数のプラグソケットの通電状態を個別に表示する第二のパイロットランプ、を備える、
請求項１乃至４いずれかの項に記載の電源タップ。
【請求項６】
上記第二のパイロットランプの発光色が、対応する上記プラグソケットごとに異なる、
請求項５記載の電源タップ。
【請求項７】
上記ソケット本体がさらに、
上記第二のパイロットランプの動作のオン／オフを切り替える第二のランプスイッチ、を備える、
請求項５又は６記載の電源タップ。
【請求項８】
上記スイッチ本体がさらに、
上記ソケットスイッチの切り替えに応じて、上記複数のプラグソケットから上記負荷への電力の供給状態を個別に表示する第一のパイロットランプと、
上記第一のパイロットランプの動作のオン／オフを切り替える第一のランプスイッチと、を備え、
上記ソケット本体がさらに、
上記ソケットスイッチの切り替えに応じて、上記複数のプラグソケットから上記負荷への電力の供給状態を個別に表示する第二のパイロットランプと、
上記第二のパイロットランプの動作のオン／オフを切り替える第二のランプスイッチと、を備え、
上記第一のパイロットランプと上記第二のパイロットランプの発光色が、対応する上記プラグソケットごとに異なると共に、
同一のプラグソケットに対応した上記第一のパイロットランプと上記第二のパイロットランプの発光色が同色である、
請求項１記載の電源タップ。
【請求項９】
上記第一のパイロットランプ及び上記第二のパイロットランプが発光ダイオードからなる、
請求項８記載の電源タップ。
【請求項１０】
上記スイッチ本体のソケットスイッチがさらに、
上記電源プラグから上記複数のプラグソケットへの電力供給の有無を一括して切り替える全体スイッチと、
上記電源プラグから上記複数のプラグソケットへの電力供給の有無を個別に切り替える個別スイッチと、によって構成される、
請求項１乃至９いずれかの項に記載の電源タップ。
【請求項１１】
上記ソケット本体がさらに、
上記電源プラグから常時、電力の供給を受けると共に、プラグ差込口に接続された上記負荷のプラグを介して上記負荷に電力を供給する常時通電用プラグソケット、を備える、
請求項１乃至１０いずれかの項に記載の電源タップ。
【請求項１２】
上記スイッチ本体がさらに、
上記接続ケーブルを介して上記電源プラグから電力の供給を受けると共に、プラグ差込口に接続された上記負荷のプラグを介して上記負荷に電力を供給するプラグソケット、を備える、
請求項１乃至１１いずれかの項に記載の電源タップ。
【考案の詳細な説明】
【技術分野】
【０００１】
本考案は、コンセントと電気機器のプラグを接続する電源タップに関する。
【背景技術】
【０００２】
電力の取出口となるコンセントは通常、壁に固定して設けられていると共に、プラグ差込口の口数が数個に限られている。そのため、使用する電気機器の数に応じてプラグ差込口の口数を増やしたり、コンセントから離れた場所にある電気機器に電力を供給したりするため、電源タップが用いられている。
【０００３】
この点、特許文献１、２、３では、複数の負荷を用いられるように、負荷用のプラグ差込口を複数設けた電源タップが提案されている。
また、特許文献４、５では、負荷用のプラグ差込口の通電状態を切り替えるためのスイッチが設けられた電源タップが提案されている。
また、特許文献６、７、８、９では、負荷用のプラグ差込口の通電状態を切り替えるためのスイッチを手元におけるようにした電源タップが提案されている。
さらに、特許文献１０では、複数の負荷用のプラグ差込口が用意されると共に、当該複数の負荷用のプラグ差込口の通電状態を手元で切り替えられるようにした電源タップが提案されている。
【先行技術文献】
【特許文献】
【０００４】
【特許文献１】特開平６−８９７６５号公報
【特許文献２】特開２００４−２７３１６５号公報
【特許文献３】特許第３２９００４３号公報
【特許文献４】実公平７−１９１０３号公報
【特許文献５】特開２００４−１８６１２３号公報
【特許文献６】実開昭６１−１８３０２０号公報
【特許文献７】特開２０００−１２３９２９号公報
【特許文献８】特開２０００−１２３９３０号公報
【特許文献９】特開２００７−１０３２５７号公報
【特許文献１０】特表２００２−５４２５７２号公報
【考案の概要】
【考案が解決しようとする課題】
【０００５】
しかしながら、特許文献１、２、３の電源タップでは、負荷の通電状態を個別に切り替えることができないため、節電ができないし、不便である。
また、特許文献４、５記載の電源タップでは、通電状態を切り替えるスイッチと、負荷用のプラグ差込口とが同じ筐体に設けられているため、スイッチの操作をするときに負荷のプラグが邪魔になるし、当該機器をコンセントのそば等に置くと、手元でスイッチを操作するときに不便である。
また、特許文献６、７、８、９記載の電源タップでは、複数の負荷を接続させることができず不便である。
さらに、特許文献１０記載の電源タップでは、負荷用のプラグ差込口が複数に分岐していて、とりまとめにくかったり、各接続口に繋がるケーブルが絡まったりするなどの不具合を生じる。
【０００６】
そこで、本考案は、電子機器等の負荷用のプラグ差込口が複数、設けられると共に、当該プラグ差込口から離間した場所で、当該プラグ差込口の通電状態を個別に切替可能とした電源タップを提供することを目的とする。
【課題を解決するための手段】
【０００７】
上記目的を達成するため、本考案に係る電源タップは、コンセントから供給される電力を負荷に供給する電源タップであって、上記コンセントに差し込まれ、上記コンセントから電力の供給を受ける電源プラグと、上記電源プラグを介して電力の供給を受けると共に、プラグ差込口に接続された上記負荷のプラグを介して上記負荷に電力を供給する複数のプラグソケット、を備えたソケット本体と、上記複数のプラグソケットに応じて、上記電源プラグから上記プラグソケットへの電力供給の有無を切り替える複数のソケットスイッチ、を備えたスイッチ本体と、所定の長さを有すると共に、上記ソケット本体と上記スイッチ本体とを電気的に接続する接続ケーブルと、を有することを特徴とする。
【０００８】
また、上記スイッチ本体がさらに、上記ソケットスイッチの切り替えに応じて、上記複数のプラグソケットの通電状態を個別に表示する第一のパイロットランプ、を備えるものとしてもよい。
【０００９】
また、上記第一のパイロットランプの発光色が、対応する上記プラグソケットごとに異なるものとしてもよい。
【００１０】
また、上記スイッチ本体がさらに、上記第一のパイロットランプの動作のオン／オフを切り替える第一のランプスイッチ、を備えるものとしてもよい。
【００１１】
また、上記ソケット本体がさらに、上記ソケットスイッチの切り替えに応じて、上記複数のプラグソケットの通電状態を個別に表示する第二のパイロットランプ、を備えるものとしてもよい。
【００１２】
また、上記第二のパイロットランプの発光色が、対応する上記プラグソケットごとに異なるものとしてもよい。
【００１３】
また、上記ソケット本体がさらに、上記第二のパイロットランプの動作のオン／オフを切り替える第二のランプスイッチ、を備えるものとしてもよい。
【００１４】
また、上記スイッチ本体がさらに、上記ソケットスイッチの切り替えに応じて、上記複数のプラグソケットから上記負荷への電力の供給状態を個別に表示する第一のパイロットランプと、上記第一のパイロットランプの動作のオン／オフを切り替える第一のランプスイッチと、を備え、上記ソケット本体がさらに、上記ソケットスイッチの切り替えに応じて、上記複数のプラグソケットから上記負荷への電力の供給状態を個別に表示する第二のパイロットランプと、上記第二のパイロットランプの動作のオン／オフを切り替える第二のランプスイッチと、を備え、上記第一のパイロットランプと上記第二のパイロットランプの発光色が、対応する上記プラグソケットごとに異なると共に、同一のプラグソケットに対応した上記第一のパイロットランプと上記第二のパイロットランプの発光色が同色であるものとしてもよい。
【００１５】
また、上記第一のパイロットランプ及び上記第二のパイロットランプが発光ダイオードからなるものとしてもよい。
【００１６】
また、上記スイッチ本体のソケットスイッチがさらに、上記電源プラグから上記複数のプラグソケットへの電力供給の有無を一括して切り替える全体スイッチと、上記電源プラグから上記複数のプラグソケットへの電力供給の有無を個別に切り替える個別スイッチと、によって構成されるものとしてもよい。
【００１７】
上記ソケット本体がさらに、上記電源プラグから常時、電力の供給を受けると共に、プラグ差込口に接続された上記負荷のプラグを介して上記負荷に電力を供給する常時通電用プラグソケット、を備えるものとしてもよい。
【００１８】
また、上記スイッチ本体がさらに、上記接続ケーブルを介して上記電源プラグから電力の供給を受けると共に、プラグ差込口に接続された上記負荷のプラグを介して上記負荷に電力を供給するプラグソケット、を備えるものとしてもよい。
【考案の効果】
【００１９】
本考案によれば、電子機器等の負荷用のプラグ差込口が複数、設けられているため、使用する負荷が多い場合に便利である。また、プラグ差込口から離間した場所でも、当該プラグ差込口の通電状態を個別に切り替えられるので、スイッチ操作の際に負荷のプラグが邪魔になったり、プラグに繋がるケーブルが邪魔になったりせず、使いやすい。
【図面の簡単な説明】
【００２０】
【図１】本考案の実施形態に係る電源タップを示した斜視図である。
【図２】本実施形態に係る電源タップを示した平面図である。
【図３】本実施形態に係る電源タップの回路を示した回路図である。
【図４】本考案の別の実施形態に係る電源タップを示した斜視図である。
【考案を実施するための形態】
【００２１】
以下、本考案の実施形態に係る電源タップについて、図を参照して説明する。
図１に示されるように、本実施形態に係る電源タップ１は、コンセントから電力の供給を受けて、コンセントから離れた場所にある負荷に電力を供給したり、複数の負荷に電力を供給したりする電気器具である。
【００２２】
この電源タップ１は、負荷のプラグが差し込まれるソケット本体１０、負荷に対する電力供給の有無を切り替えるスイッチ本体２０、コンセントから電力の供給を受けるための電源プラグ３０、及び、ソケット本体１０とスイッチ本体２０を電気的に接続する接続ケーブル４０から構成される。
なお、以下の説明において、電源タップ１を構成するプラグソケット（ＰＳ１１等）、ソケットスイッチ（ＳＷ２１等）、及びパイロットランプ（ＰＬ１１等）は夫々、複数設けられているが、プラグソケット、ソケットスイッチ、及びパイロットランプを個別に識別せず、機能部として指称する場合には、プラグソケットＰＳ、ソケットスイッチＳＷ、パイロットランプＰＬと称することがある。
【００２３】
ソケット本体１０は、略直方体状からなる合成樹脂等の電気絶縁性の筐体であり、筐体内には各種の電気素子によって構成された電気回路が内蔵されている。
このソケット本体１０には、電源プラグ３０と接続ケーブル４０が接続されており、電源プラグ３０を介して電力の供給を受けることができると共に、接続ケーブル４０を介してスイッチ本体２０に対して電力を供給することができる。
【００２４】
また、ソケット本体１０は、負荷のプラグを差込可能な複数のプラグ差込口１１ａ、１２ａ、１３ａ、１４ａ、１５ａを上面に備えると共に、これらのプラグ差込口１１ａ、１２ａ、１３ａ、１４ａ、１５ａに接続された負荷のプラグを介して負荷に電力を供給する複数のプラグソケットＰＳ１１、ＰＳ１２、ＰＳ１３、ＰＳ１４、ＰＳ１５を備える。
【００２５】
プラグソケットＰＳ１１、ＰＳ１２、ＰＳ１３は、スイッチ本体２０に設けられているソケットスイッチＳＷ２１、ＳＷ２２、ＳＷ２３による操作に応じて通電状態を切り替えられるようになっている。
【００２６】
また、プラグソケットＰＳ１１、ＰＳ１２、ＰＳ１３には、その通電状態を夫々、個別に表示するパイロットランプＰＬ１１、ＰＬ１２、ＰＬ１３が隣接して設けられている。
これらのパイロットランプＰＬ１１、ＰＬ１２、ＰＬ１３は発光ダイオード（ＬＥＤ）によって構成され、通電状態のときには発光する一方、停電状態の時には消灯する。なお、パイロットランプＰＬ１１、ＰＬ１２、ＰＬ１３の発光色は互いに異なっており、識別しやすいようになっている。
【００２７】
プラグソケットＰＳ１４、ＰＳ１５は、スイッチ本体２０による操作にかかわらず、常時、プラグ差込口１４ａ、１５ａにプラグが差し込まれた負荷に対して電力を供給する。
【００２８】
ソケット本体１０の側面には、パイロットランプＰＬ１１、ＰＬ１２、ＰＬ１３の動作のオン／オフを切り替えるためのランプスイッチＬＳＷ１が設けられている。このランプスイッチＬＳＷ１を切り替えることにより、パイロットランプＰＬ１１、ＰＬ１２、ＰＬ１３を作動あるいは停止させることができる。
【００２９】
スイッチ本体２０は、略直方体状からなる合成樹脂等の電気絶縁性の筐体からなり、筐体内には各種の電気素子によって構成された電気回路が内蔵されている。
このスイッチ本体２０には接続ケーブル４０が接続されており、スイッチ本体２０は、この接続ケーブル４０を介してソケット本体１０、及びソケット本体１０に接続されている電源プラグ３０と電気的に接続し、電力の供給を受けることができる。
【００３０】
また、スイッチ本体２０は、複数のソケットスイッチＳＷ２１、ＳＷ２２、ＳＷ２３、ＳＷ２４を上面に備えると共に、パイロットランプＰＬ４を内蔵したソケットスイッチＳＷ４とランプスイッチＬＳＷ５を側面に備える。
ソケットスイッチＳＷ２１、ＳＷ２２、ＳＷ２３は夫々、プラグソケットＰＳ１１、ＰＳ１２、ＰＳ１３に対応したスイッチであり、所定の操作によって、電源プラグ３０からプラグソケットＰＳ１１、ＰＳ１２、ＰＳ１３への電力供給の有無を切り替えることができる。
【００３１】
ソケットスイッチＳＷ２４は、スイッチ本体２０の側面に隣接して備えられたプラグソケットＰＳ２１に対応したスイッチである。このスイッチ本体２０の側面に備えられたプラグソケットＰＳ２１は、ソケットスイッチＳＷ２４の操作に応じて、電源プラグ３０からの電力供給の有無が切り替えられ、通電状態では、プラグソケットＰＳ２１に対応するプラグ差込口２１ａにプラグが差し込まれている負荷に対して電力を供給する。
【００３２】
ソケットスイッチＳＷ４は、電源プラグ３０からプラグソケットＰＳ１１、ＰＳ１２、ＰＳ１３、ＰＳ２１への電力供給の有無を一括して切り替えることができるスイッチである。このソケットスイッチＳＷ４は、各ソケットスイッチＳＷ２１、ＳＷ２２、ＳＷ２３、ＳＷ２４がオンになっているとき、所定の操作によって、電源プラグ３０からプラグソケットＰＳ１１、ＰＳ１２、ＰＳ１３、ＰＳ２１への電力供給の有無を切り替えることができる。
また、このソケットスイッチＳＷ４はパイロットランプＰＬ４を内蔵すると共に、透光性を有する部材からなり、ソケットスイッチＳＷ４がオンのときには、発光したパイロットランプ４の光を外部に透過させることにより、オンの状態を示し、ソケットスイッチＳＷ４がオフのときには消灯することにより、オフの状態を示す。
【００３３】
ランプスイッチＬＳＷ５は、パイロットランプＰＬ２１、ＰＬ２２、ＰＬ２３、ＰＬ２４の動作のオン／オフを切り替えるためのスイッチである。このランプスイッチＬＳＷ５を切り替えることにより、パイロットランプＰＬ２１、ＰＬ２２、ＰＬ２３、ＰＬ２４を作動あるいは停止させることができる。
【００３４】
ソケットスイッチＳＷ２１、ＳＷ２２、ＳＷ２３、ＳＷ２４には、対応するプラグソケットＰＳ１１、ＰＳ１２、ＰＳ１３、ＰＳ２１の通電状態を夫々、個別に表示するパイロットランプＰＬ２１、ＰＬ２２、ＰＬ２３、ＰＬ２４が隣接して設けられている。
また、ソケットスイッチＳＷ４に内蔵されているパイロットランプＰＬ４は、ソケットスイッチＳＷ４の操作によって一括して電力の供給の有無が切り替えられるプラグソケットＰＳ１１、ＰＳ１２、ＰＳ１３、ＰＳ２１の通電状態を表示する。
【００３５】
これらのパイロットランプＰＬ２１、ＰＬ２２、ＰＬ２３、ＰＬ２４、ＰＬ４は発光ダイオード（ＬＥＤ）によって構成され、通電状態のときには発光する一方、停電状態の時には消灯する。なお、パイロットランプＰＬ２１、ＰＬ２２、ＰＬ２３、ＰＬ２４、ＰＬ４の発光色は互いに異なっており、識別しやすいようになっている。
【００３６】
また、各ソケットスイッチＳＷ２１、ＳＷ２２、ＳＷ２３に対応するパイロットランプＰＬ２１、ＰＬ２２、ＰＬ２３の発光色は夫々、各パイロットランプＰＬ２１、ＰＬ２２、ＰＬ２３が通電状態を表すプラグソケットＰＳ１１、ＰＳ１２、ＰＳ１３のパイロットランプＰＬ１１、ＰＬ１２、ＰＬ１３と対応している。即ち、パイロットランプＰＬ１１とパイロットランプＰＬ２１、パイロットランプＰＬ１２とパイロットランプＰＬ２２、パイロットランプＰＬ１３とパイロットランプＰＬ２３は夫々、互いに同じ発光色の光源によって構成されている。これにより、ソケットスイッチＳＷ２１、ＳＷ２２、ＳＷ２３とプラグソケットＰＳ１１、ＰＳ１２、ＰＳ１３の対応関係を一見して識別することが容易となっており、任意のプラグソケットＰＳ１１、ＰＳ１２、ＰＳ１３のオン・オフの切り替えについて、間違えることなくソケットスイッチＳＷ２１、ＳＷ２２、ＳＷ２３を操作することができる。
【００３７】
電源プラグ３０は、ソケット本体１０に接続しており、一対の栓刃３１をコンセントに差し込むことによって交流電力の供給を受ける。この交流電力は、プラグソケットＰＳ１１、ＰＳ１２、ＰＳ１３、ＰＳ１４、ＰＳ１５、ＰＳ２１に供給される。また、この交流電力はソケット本体１０あるいはスイッチ本体２０に内蔵された交流／直流変換回路によって直流電力に変換されて、パイロットランプＰＬ１１、ＰＬ１２、ＰＬ１３、ＰＬ２１、ＰＬ２２、ＰＬ２３、ＰＬ２４、ＰＬ４に供給される。
【００３８】
接続ケーブル４０は、絶縁性のチューブ等で被覆された導線であって、一定の長さを有し、ソケット本体１０及びスイッチ本体２０に内蔵されている電気回路同士を接続している。この接続ケーブル４０によってソケット本体１０とスイッチ本体２０が接続されていることにより、電源プラグ３０からソケット本体１０に供給された電力が接続ケーブル４０を介してスイッチ本体２０にも供給される。また、これにより、スイッチ本体２０に対する操作に応じて、ソケット本体１０のプラグソケットＰＳ１１、ＰＳ１２、ＰＳ１３の通電状態が切り替えられる。
【００３９】
以上のように構成された電源タップ１について、回路図を図３に示す。
プラグソケットＰＳ１１、ＰＳ１２、ＰＳ１３、ＰＳ２１は並列接続されており、夫々、ソケットスイッチＳＷ２１、ＳＷ２２、ＳＷ２３、ＳＷ２４によって通電状態が切り替えられると共に、ソケットスイッチＳＷ４によって一括して通電状態が切り替えられるようになっている。
【００４０】
プラグソケットＰＳ１４、ＰＳ１５も並列接続されているが、このプラグソケットＰＳ１４、ＰＳ１５は、ソケットスイッチＳＷ４の操作によらず、コンセントから電力が供給されている限り、負荷に対して電力を供給するようになっている。
【００４１】
パイロットランプＰＬ１１、ＰＬ１２、ＰＬ１３は夫々、対応プラグソケットＰＳ１１、ＰＳ１２、ＰＳ１３の通電状態に応じて点灯あるいは消灯するようになっている。また同時に、パイロットランプＰＬ２１、ＰＬ２２、ＰＬ２３、ＰＬ２４も夫々、対応するプラグソケットＰＳ１１、ＰＳ１２、ＰＳ１３、ＰＳ２１の通電状態に応じて点灯あるいは消灯するようになっている。
【００４２】
なお、パイロットランプＰＬ１１、ＰＬ１２、ＰＬ１３はランプスイッチＬＳＷ１の操作に応じて、また、パイロットランプＰＬ２１、ＰＬ２２、ＰＬ２３、ＰＬ２４はランプスイッチＬＳＷ５の操作に応じて、作動あるいは停止が切り替えられるようになっている。
【００４３】
パイロットランプＰＬ４は、プラグソケットＰＳ１１、ＰＬ１２、ＰＳ１３、ＰＳ２１に対する通電状態を示しており、ソケットスイッチＳＷ４の操作に応じて、点灯あるいは消灯する。
【００４４】
なお、これらの素子に加え、キャパシタやサージ吸収素子としてのバリスタなど、電源タップ１を構成するのに通常、組み込まれる素子は適宜、この電気回路に組み込むことができる。
【００４５】
本実施形態に係る電源タップ１によれば、電子機器等の負荷用のプラグ差込口１１ａ〜１５ａ、２１ａが複数、設けられているため、使用する負荷が多い場合に便利である。また、ソケット本体１０とスイッチ本体２０が別体として設けられ、これらを連結する接続ケーブル４０が一定の長さを有するため、プラグ差込口１１ａ〜１３ａから離間した場所でも、ソケットスイッチＳＷ２１〜ＳＷ２３、ＳＷ４を操作して、プラグ差込口１１ａ〜１３ａの通電状態を個別に、あるいは一括して切り替えられる。そのため、スイッチ操作の際に負荷のプラグが邪魔になったり、プラグに繋がるケーブルが邪魔になったりせず、使いやすい。
【００４６】
次に、本考案の別の実施形態に係る電源タップ５について、図４を参照して説明する。
本実施形態に係る電源タップ５は、電源タップ１と同様、ソケット本体５０、スイッチ本体６０、電源プラグ７０、及び、接続ケーブル８０から構成される。
【００４７】
ここで、ソケット本体５０が備えるプラグソケットＰＳ５１〜ＰＳ５５、プラグ差込口５１ａ〜５５ａ、ランプスイッチＬＳＷ６は夫々、ソケット本体１０が備えるプラグソケットＰＳ１１〜ＰＳ１５、プラグ差込口１１ａ〜１５ａ、ランプスイッチＬＳＷ１に対応し、同様の構成からなる。
また、スイッチ本体６０が備えるソケットスイッチＳＷ６１〜ＳＷ６４、ＳＷ８、ランプスイッチＬＳＷ９、プラグソケットＰＳ６１、プラグ差込口６１ａは夫々、スイッチ本体２０が備えるソケットスイッチＳＷ２１〜ＳＷ２４、ＳＷ４、ランプスイッチＬＳＷ５、プラグソケットＰＳ２１、プラグ差込口２１ａに対応し、同様の構成からなる。
また、栓刃７１とケーブル７２を備える電源プラグ７０、及び接続ケーブル８０も夫々、電源プラグ３０及び接続ケーブル４０に対応し、同様の構成からなる。
【００４８】
他方、本実施形態に係る電源タップ５では、ソケット本体５０が備えるパイロットランプＰＬ５１、ＰＬ５２、ＰＬ５３、及びスイッチ本体６０が備えるパイロットランプＰＬ６１、ＰＬ６２、ＰＬ６３、ＰＬ６４は、上述した電源タップ１とは異なり、パイロットランプＰＬを容易に且つ個別に識別できるように、特徴づけられた数や配置によって構成される。
【００４９】
即ち、パイロットランプＰＬ５１、ＰＬ５２、ＰＬ５３は夫々、プラグソケットＰＳ５１、ＰＳ５２、ＰＳ５３に対応しているが、夫々、点字表記の数字で「１」、「２」、「３」を示すように、一つのパイロットランプ、ソケット本体５０の幅方向に並んで設けられた一対のパイロットランプ、ソケット本体５０の長さ方向に並んで設けられた一対のパイロットランプによって構成されている。これに対して、パイロットランプＰＬ６１、ＰＬ６２、ＰＬ６３も夫々、点字表記の数字で「１」、「２」、「３」を示すように、一つのパイロットランプ、スイッチ本体６０の幅方向に並んで設けられた一対のパイロットランプ、スイッチ本体６０の長さ方向に並んで設けられた一対のパイロットランプによって構成されている。また、パイロットランプＰＬ６４は、点字表記の数字で「４」を示すように、直角二等辺三角形の頂点を構成するように集められた３つのパイロットランプによって構成されている。
なお、本例では、数字の点字表記を用いたが、これに限らず、平仮名による点字表記を用いてもよい。また、通常のアラビア数字を表記してもよく、各パイロットランプＰＬやソケットスイッチＳＷを個々に識別可能な表記を施すことができれば、各種の表記の手段を用いることができる。
また、ソケットスイッチＳＷ６１〜ＳＷ６４の上面に点字表記等を施してもよいし、点字表記の数字は各パイロットランプＰＬを構成するＬＥＤの凸部を利用した突起で形成されていてもよい。これにより、目の障害を負った人でも指で触る事で番号を知る事が出来、安全にスイッチの入り、切りが出来る。なお、このような突起部は本体形成時にも作成する事も出来る。
【００５０】
プラグソケットＰＳ５１の通電状態を示すパイロットランプＰＬ５１とパイロットランプＰＬ６１は、互いに同じ数及び配置構成からなるパイロットランプによって構成されており、パイロットランプＰＬ５１が通電状態を示しているプラグソケットＰＳがいずれのものであるか（この場合はプラグソケットＰＳ５１）を一見して識別することができる。
また、パイロットランプＰＬ６２、パイロットランプＰＬ６３についても同様、同じ数及び配置構成からなるパイロットランプＰＬ５２、ＰＬ５３を把握することで、パイロットランプＰＬ６２、パイロットランプＰＬ６３が通電状態を示しているプラグソケットＰＳ５２、ＰＳ５３を一見して識別することができる。
【００５１】
本実施形態によれば、パイロットランプＰＬの発光色を同じにした場合でも、各パイロットランプＰＬの数及び配置構成によって、対応関係を一見して識別することができ、任意のプラグソケットＰＳ５１、ＰＳ５２、ＰＳ５３、ＰＳ６１のオン・オフの切り替えについて、間違えることなくソケットスイッチＳＷ６１、ＳＷ６２、ＳＷ６３、ＳＷ６４を操作することができる。
【符号の説明】
【００５２】
１      電源タップ
１０    ソケット本体
１１ａ〜１５ａ、２１ａ    プラグ差込口
２０    スイッチ本体
３０    電源プラグ
３１    栓刃
３２    ケーブル
４０    接続ケーブル
５      電源タップ
５０    ソケット本体
５１ａ〜５５ａ、６１ａ    プラグ差込口
６０    スイッチ本体
７０    電源プラグ
７１    栓刃
７２    ケーブル
８０    接続ケーブル
ＳＷ    ソケットスイッチ
ＬＳＷ  ランプスイッチ
ＰＬ    パイロットランプ
ＰＳ    プラグソケット
【図１】
0003193524.tif 000003
【図２】
0003193524.tif 000004
【図３】
0003193524.tif 000005
【図４】
0003193524.tif 000006